(57)【要約】  周囲状況が変化した場合であっても、ユーザが所望する選択項目を選択することができ、操作性が改良された選択項目表示装置を提供する。  選択項目表示装置は、選択項目を記憶する記憶手段と、周囲状況に基づき、表示されるべき選択項目を前記記憶手段から検索する検索手段と、前記検索された選択項目の画像を生成する生成手段と、前記生成された選択項目の画像を表示画面に表示する表示手段と、前記表示された選択項目のうち、維持されるべき選択項目を指定する指定手段と、及び前記指定された選択項目を保持する保持手段と、を備える。前記周囲状況が変化して前記検索手段が表示されるべき選択項目を変更した場合であっても、前記生成手段は、前記保持手段からの指示に基づき、維持されるべき選択項目の画像を表示画面に残置させる。
2009047842.tif 000002
【特許請求の範囲】
【請求項１】
選択項目を記憶する記憶手段と、
周囲状況に基づき、表示されるべき選択項目を前記記憶手段から検索する検索手段と、
前記検索された選択項目の画像を生成する生成手段と、
前記生成された選択項目の画像を表示画面に表示する表示手段と、
前記表示された選択項目のうち、維持されるべき選択項目を指定する指定手段と、及び
前記指定された選択項目を保持する保持手段と、を備え、
前記周囲状況が変化して前記検索手段が表示されるべき選択項目を変更した場合であっても、前記生成手段は、前記保持手段からの指示に基づき、維持されるべき選択項目の画像を表示画面に残置させることを特徴とする選択項目表示装置。
【請求項２】
請求項１記載の装置において、前記表示手段の表示画面は、ナビゲーション用の表示画面であり、前記選択項目は、当該ナビゲーション用の表示画面に表示され且つナビゲーションに用いられる選択項目であることを特徴とする選択項目表示装置。
【請求項３】
請求項１又は２のうちいずれか１項に記載の装置において、前記周囲状況は、道路の状況であり、前記検索手段は、前記道路の状況が変化すると、表示されるべき選択項目を変更することを特徴とする選択項目表示装置。
【請求項４】
請求項１乃至３のうちいずれか１項に記載の装置において、前記選択項目の近傍には、当該選択項目を用いて指定される目的地までの距離が表示されることを特徴とする選択項目表示装置。
【請求項５】
請求項１乃至３のうちいずれか１項に記載の装置において、前記選択項目の近傍には、当該選択項目を用いて指定される目的地までの距離が複数個併記して表示されることを特徴とする選択項目表示装置。
【請求項６】
請求項１乃至３のうちいずれか１項に記載の装置において、前記選択項目の近傍には、当該選択項目を用いて指定される目的地までの時間が表示されることを特徴とする選択項目表示装置。
【請求項７】
請求項１乃至３のうちいずれか１項に記載の装置において、前記選択項目の近傍には、当該選択項目を用いて指定される目的地までの時間が複数個併記して表示されることを特徴とする選択項目表示装置。
【請求項８】
選択項目を記憶手段に記憶する記憶工程と、
周囲状況に基づき、前記記憶手段から、表示されるべき選択項目を検索する検索工程と、
前記検索された選択項目の画像を生成する生成工程と、
前記生成された選択項目の画像を表示画面に表示する表示工程と、
前記表示された選択項目のうち、維持されるべき選択項目を指定する指定工程と、及び
前記指定された選択項目を保持する保持工程と、を備え、
前記周囲状況が変化して前記検索工程が表示されるべき選択項目を変更した場合であっても、前記生成工程は、前記保持工程からの指示に基づき、保持されるべき選択項目の画像を表示画面に残置させることを特徴とする選択項目表示方法。
【請求項９】
コンピュータを、請求項１乃至７のうちいずれか１項に記載の選択項目表示装置として機能させることを特徴とする選択項目表示プログラム。
【請求項１０】
請求項９に記載の選択項目表示プログラムが、前記コンピュータにより読取可能に記録されていることを特徴とする記録媒体。
【発明の詳細な説明】
【技術分野】
【０００１】
本願は、選択項目表示装置、選択項目表示方法、選択項目表示プログラム、及び選択項目表示プログラムが記録された記録媒体に関し、特に、周囲状況に基づき検索された選択項目を表示画面に表示する選択項目表示装置、選択項目表示方法、選択項目表示プログラム、及び選択項目表示プログラムが記録された記録媒体に関に関する。
【背景技術】
【０００２】
選択項目表示装置について、例として車両用ナビゲーション装置を用いて説明すると、従来の車両用ナビゲーション装置においては、車両走行中の周囲状況に基づき、ユーザにより選択可能な選択項目が画面に表示される。例えば、車両が高速道路を走行している際には、サービスエリア・パーキングエリアを検索するための選択項目、一般道路に移るための地点を検索するための選択項目等が表示されており、ユーザは、所望時に、これらの選択項目を選択することができる。【０００３】
前記選択項目は、車両走行時の周囲状況に基づいて、画面に表示される項目が決定され、周囲状況が変化すると、画面に表示される選択項目が変更される。例えば、車両が高速道路を走行している際には、サービスエリア・パーキングエリアを検索するための選択項目が画面に表示されるが、車両が高速道路から一般道路に移った場合には、当該サービスエリア・パーキングエリアを検索するための選択項目が画面から削除され、他の選択項目が画面に表示される。これは、サービスエリア・パーキングエリアは一般道路には存在しないためである。【０００４】
従来の車両用ナビゲーション装置を示す特許文献として、例えば、下記特許文献１がある。
【特許文献１】特許第３５８５８３７号公報
【０００５】
上記特許文献１においては、時間、場所、状況に関する情報とアクションとを組み合わせて、ユーザにアクションを提案するアクション提案装置が記載されている。
【発明の開示】
【発明が解決しようとする課題】
【０００６】
上記従来の技術においては、前述したように、選択項目は、車両走行時の周囲状況に基づいて、画面に表示されるものが決定され、周囲状況が変化すると、画面に表示される選択項目が変更される。【０００７】
このため、例えば、車両が走行している際に、コンビニを検索するための選択項目が画面に表示されている場合、周囲状況が変化すると、当該コンビニを検索するための選択項目が画面から削除され、他の選択項目が画面に表示されることがある。【０００８】
このような場合、ユーザは、現在はコンビニを検索する必要はないが、後にコンビニを検索したいと現時点で思うことがある。ところが、周囲状況が変化すると、当該コンビニを検索するための選択項目が画面から削除されてしまうことがあり、ユーザにとって操作上不便であるという問題があった。【０００９】
本願は、上記問題点に鑑みて為されたものであり、その課題の一例は、周囲状況が変化した場合であっても、ユーザが所望する選択項目を選択することができ、操作性が改良された選択項目表示装置、選択項目表示方法、選択項目表示プログラム、及び選択項目表示プログラムが記録された記録媒体を提供することにある。
【課題を解決するための手段】
【００１０】
上記の課題を解決するために、請求項１記載の発明は、選択項目を記憶する記憶手段と、
周囲状況に基づき、表示されるべき選択項目を前記記憶手段から検索する検索手段と、
前記検索された選択項目の画像を生成する生成手段と、
前記生成された選択項目の画像を表示画面に表示する表示手段と、
前記表示された選択項目のうち、維持されるべき選択項目を指定する指定手段と、及び
前記指定された選択項目を保持する保持手段と、を備え、
前記周囲状況が変化して前記検索手段が表示されるべき選択項目を変更した場合であっても、前記生成手段は、前記保持手段からの指示に基づき、維持されるべき選択項目の画像を表示画面に残置させることを特徴とする。【００１１】
上記の課題を解決するために、請求項８記載の発明は、選択項目を記憶手段に記憶する記憶工程と、
周囲状況に基づき、前記記憶手段から、表示されるべき選択項目を検索する検索工程と、
前記検索された選択項目の画像を生成する生成工程と、
前記生成された選択項目の画像を表示画面に表示する表示工程と、
前記表示された選択項目のうち、維持されるべき選択項目を指定する指定工程と、及び
前記指定された選択項目を保持する保持工程と、を備え、
前記周囲状況が変化して前記検索工程が表示されるべき選択項目を変更した場合であっても、前記生成工程は、前記保持工程からの指示に基づき、保持されるべき選択項目の画像を表示画面に残置させることを特徴とする。【００１２】
上記の課題を解決するために、請求項９載の発明は、コンピュータを、請求項１乃至７のうちいずれか１項に記載の選択項目表示装置として機能させることを特徴とする。【００１３】
上記の課題を解決するために、請求項１０載の発明は、請求項９に記載の選択項目表示プログラムが、前記コンピュータにより読取可能に記録されていることを特徴とする。
【図面の簡単な説明】
【００１４】
【図１】実施形態に係る選択項目表示装置のブロック回路図である。
【図２】実施形態に係る選択項目表示装置による表示画面の１例を示す図である。
【図３】実施形態に係る選択項目表示装置のフローチャート図である。
【図４】実施形態に係る選択項目表示装置による表示画面の他の例を示す図である。
【図５】実施形態に係る選択項目表示装置による表示画面の更に他の例を示す図である。
【図６】実施形態に係る選択項目表示装置による表示画面のなお更に他の例を示す図である。
【符号の説明】
【００１５】
１０：ショートカットメニュー項目データベース
１２：走行状況取得部
１４：機器状況取得部
１６：ショートカットメニュー項目検索部
１８：ショートカットメニュー項目生成部
２０：表示部
２２：表示画面
２４−１・・・２４−５：ショートカットメニュー項目
２６：ブロック
２８：ユーザ指定部
３０：ショートカットメニュー項目保持部
３２：「ＣＨＡＮＧＥ」の項目
３４−１・・・３４−５：「ＨＯＬＤ」の項目
Ｓ１・・・Ｓ１１：ステップ
【発明を実施するための最良の形態】
【００１６】
次に、本願を実施するための最良の形態について、図１乃至図６を用いて説明する。なお、以下に説明する実施形態は、車両用ナビゲーション装置に本願を適用した場合の実施例である。【００１７】
図１には、実施形態に係る選択項目表示装置のブロック回路が示されている。【００１８】
図１において、符号１０は、車両用ナビゲーション用の画面に表示され且つユーザにより選択可能なショートカットメニュー項目を記憶するデータベースである。ここで、ショートカットメニュー項目としては、例えば、車両が高速道路を走行している際に車両用ナビゲーション用の画面に表示されるサービスエリア・パーキングエリアを検索するための項目である。【００１９】
なお、希望するメニュー項目を階層から順に選択していく方法と比較して、上記のようにショートカットメニュー項目が設定されている場合には、所望するメニュー項目を簡単に選択することができる。【００２０】
符号１２は、車両の走行状況を取得する取得部であり、例えば、車両が高速道路を走行している際にはその旨の状況を取得する。また、符号１４は、機器状況取得部であり、例えば、オーディオ機器の再生状況を取得する。【００２１】
符号１６は、ナビゲーション用の画面に表示されるべきショートカットメニュー項目を検索する検索部である。具体的に説明すると、検索部１６は、両取得部１２及び１４で取得された状況に基づき、ナビゲーション用の画面に表示されるべきショートカットメニュー項目を、前記データベース１０から検索する。【００２２】
前記検索部１６からの出力は、生成部２０に供給される。当該生成部１８は、検索部１６で検索されたショートカットメニュー項目の画像を生成し、表示部２０に供給する。当該表示部２０は、ナビゲーション用の表示画面を構成しており、前記生成されたショートカットメニュー項目の画像を当該表示画面に表示する。【００２３】
以上のように、生成されたショートカットメニュー項目の画像は、表示部２０の表示画面に表示され、この状態が図２に示されている。【００２４】
図２において、表示画面２２には、５つのショートカットメニュー項目２４−１乃至２４−５が表示されている。例えば、ショートカットメニュー項目２４−１は、ＳＡ（サービスエリア）・ＰＡ（パーキングエリア）検索を示す。そして、ユーザが当該ＳＡ・ＰＡ検索を選択したいとき、メニュー項目２４−１それ自体がタッチパネルスイッチで構成されている場合には、当該メニュー項目２４−１に触れることにより、ＳＡ・ＰＡ検索が選択され、当該ＳＡ・ＰＡ検索が実行されることとなる。【００２５】
次に、図２において、メニュー項目２４−１乃至２４−５のうちメニュー項目２４−２、２４−３、及び２４−５の画像の色は、他のメニュー項目の色と相違しており、以下、この点について説明する。【００２６】
図２において、ショートカットメニュー項目２４−１乃至２４−５の内容は、車両が走行するに従い、変化する。例えば、コンビニ検索を示すメニュー項目２４−２は、車両が走行するに従い、次の候補の内容（例えば、ラジオに切り替える）に変更される場合がある。【００２７】
このような場合、ユーザは、現在はコンビニを検索する必要はないが、後にコンビニを検索したいであろうと現時点で思うことがある。そこで、ユーザが維持することを望むメニュー項目（例えば、コンビニ検索を示すメニュー項目２４−２）の画像は、画面２２に残置される。図２においては、維持されるべきメニュー項目は、２４−２、２４−３、及び２４−５であり、これらのメニュー項目２４−２、２４−３、及び２４−５は、他のメニュー項目すなわち維持されないメニュー項目２４−１、及び２４−４と区別するため、色が変更される。【００２８】
以上の理由により、メニュー項目２４−２、２４−３、及び２４−５の色は、他のメニュー項目の色と相違するのである。【００２９】
なお、維持されるべきメニュー項目２４−２、２４−３、及び２４−５を維持されないメニュー項目２４−１、及び２４−４と区別するために、色を相違させる方法以外に、他の各種の方法を適用することができる。【００３０】
次に、上記のようにユーザが維持することを望むメニュー項目の画像を画面に残置するための構成が、図１の鎖線で示されるブロック２６にて示されている。【００３１】
図１のブロック２６内には、ユーザ指定部２８、及びショートカットメニュー項目保持部３０が設けられている。ユーザ指定部２８においては、表示部２０の表示画面２２に表示されたショートカットメニュー項目のうち、維持されるべきショートカットメニュー項目がユーザにより指定される。ユーザ指定部２８の例としては、メニュー項目２４−１乃至２４−５それ自体がタッチパネルスイッチで構成されている場合には、当該メニュー項目２４−１乃至２４−５に長時間触れることであり、或いは、メニュー項目２４−１乃至２４−５の近傍に機械的なスイッチ（図示せず）が配置されている場合には、当該機械的なスイッチを操作することである。【００３２】
前記指定部２８からの出力は、保持部３０に供給され、当該保持部３０は、維持されるべきショートカットメニュー項目を保持する。当該保持部３０からの出力は、前記生成部１８に供給され、当該生成部１８は、保持部２８で保持されたメニュー項目すなわちユーザにより維持されるように指定されたメニュー項目の画像を、表示部２０の画面２２に残置する。【００３３】
以上のように、図１のブロック回路により、ユーザにより維持されるように指定されたメニュー項目の画像が表示部２０の画面２２に残置されることになる。【００３４】
なお、図２において、符号３２は、表示部２０の画面２２に表示された「ＣＨＡＮＧＥ」の項目を示しており、以下、当該「ＣＨＡＮＧＥ」の項目３２について説明する。【００３５】
図２においては、メニュー項目２４−１乃至２４―５が表示されており、これらのメニュー項目のうちメニュー項目２４−２、２４−３、及び２４−５は、ユーザにより維持されるように指定されたメニュー項目であり、他のメニュー項目２４−１、及び２４−４は、維持されるように指定されなかったメニュー項目である。これらのメニュー項目２４−１、及び２４−４の内容は、前述したように、車両が走行するに従い、次の候補の内容に変更され、メニュー項目２４−１、及び２４−４の現在の内容、すなわち「ＳＡ／ＰＡ検索」、及び「電話をかける」がユーザにとって望まないものであることがある。【００３６】
このような場合に、ユーザは「ＣＨＡＮＧＥ」の項目３２を選択操作すると、ユーザにより維持されるように指定されたメニュー項目以外のメニュー項目、すなわちメニュー項目２４−１、及び２４−４の内容が次の候補の内容に変更される。すなわち、ユーザによる「ＣＨＡＮＧＥ」の項目３２の操作により、メニュー項目２４−１、及び２４−４の内容「ＳＡ／ＰＡ検索」、及び「電話をかける」がそれぞれ次の候補の内容、例えば「ＧＳへ行く」、及び「２００ｍスケール」に変更される。【００３７】
なお、前記「ＣＨＡＮＧＥ」の項目３２の操作に基づく出力信号は、例えば、図１のメニュー項目検索部１６に供給され、該出力信号に基づき、メニュー項目検索部１６は、次の候補のメニュー項目を検索するように構成することができる。【００３８】
次に、図３には、実施形態に係る選択項目表示装置のフローチャート図が示されている。【００３９】
図３において、ステップＳ１においてスタートし、ステップＳ２において、周囲状況（例えば、道路の状況）に基づき、ユーザに提示するショートカットメニュー項目を検索し、ステップＳ３において、検索されたショートカットメニュー項目を表示する。これにより、図２に示されるように、メニュー項目２４−１乃至２４−５が画面２２に表示される。【００４０】
ステップＳ４において、ユーザが維持したいショートカットメニュー項目を指定する。図２において、メニュー項目２４−１乃至２４−５が画面２２に表示されているが、ユーザが維持することを望むメニュー項目２４−２、２４−３、及び２４−５の色は、他のメニュー項目の色と相違される。【００４１】
ステップＳ５において、周囲状況が変化すると（例えば、車両が走行して道路の状況が変化すると）、あるいは、図２の画面２２に示される「ＣＨＡＮＧＥ」の項目３２が選択操作されると、新たにユーザに提示するショートカットメニュー項目を検索する。【００４２】
ステップＳ６において、維持されるべきショートカットメニュー項目以外のメニュー項目について、ステップＳ５で検索された新たなメニュー項目と入れ替え・表示する。ステップＳ７において、維持されるべきショートカットメニュー項目について、当該メニュー項目を維持・表示する。【００４３】
ここで、ステップＳ７の後の状態を図２を用いて説明すると、維持されるべきショートカットメニュー項目以外のメニュー項目２４−１、及び２４−４は、新たなメニュー項目と入れ替え・表示される。一方、維持されるべきショートカットメニュー項目２４−２、２４−３、及び２４−５は、当該メニュー項目が維持・表示される。【００４４】
ステップＳ８において、維持されるべきショートカットメニュー項目を変更するか否かが判断される。ステップＳ８において、Ｙｅｓの場合にはステップＳ９に進み、維持されるべきメニュー項目について、新たなメニュー項目と入れ替え・表示され、ステップＳ１０に進む。なお、ステップＳ８において、維持されるべきショートカットメニュー項目を変更する場合とは、例えば、維持されるべきメニュー項目がユーザにより選択・実行された場合（例えば、コンビニ検索のメニュー項目が維持された状態で、当該コンビニ検索のメニュー項目をユーザが選択・実行した場合）、維持されるべきメニュー項目についてユーザが維持を解除した場合、維持されるべきメニュー項目について選択・実行が不可能になった場合（例えば、ＳＡ・ＰＡの検索のメニュー項目が選択・実行されたが、車両が高速道路から一般道路に移動した場合）等がある。なお、上記維持されるべきメニュー項目について選択・実行が不可能になる場合について説明すると、当該選択・実行が実際に不可能になる以前に、その旨の警告を行うように構成することが可能である。【００４５】
ステップＳ８において、維持されるべきメニュー項目を変更しない場合には、ステップＳ１０に進む。【００４６】
ステップＳ１０において、メニュー項目の表示の動作を終了させるか否かが判断され、当該ステップＳ１０において、動作を終了させる場合には、ステップＳ１１に進み動作を終了する。なお、ステップＳ１０において、メニュー項目の表示の動作を終了させる場合とは、例えば、ユーザが車両から降りて、メニュー項目の表示をさせる必要がなくなった場合等である。【００４７】
ステップＳ８において、動作を終了させない場合には、ステップＳ５に戻り、再び、ステップＳ５以下の動作を行う。【００４８】
以上が図３のフローチャートの説明である。【００４９】
次に、図４乃至図６には、実施形態に係る選択項目表示装置による表示画面の各種の例が示されている。【００５０】
まず、図４について説明する。【００５１】
図４の表示画面２２において、メニュー項目２４−１乃至２４−５の近傍に、当該メニュー項目を維持するための「ＨＯＬＤ」の項目３４−１乃至３４−５が表示されている。この「ＨＯＬＤ」の項目３４−１乃至３４−５は、タッチパネルスイッチにより構成されている。【００５２】
ユーザがメニュー項目２４−１乃至２４−５のうちいずれかのメニュー項目を維持したい場合には、メニュー項目それ自体ではなく、維持したいメニュー項目に対応するいずれかの「ＨＯＬＤ」の項目３４−１乃至３４−５を操作する。例えば、図４の画面２２において、ユーザが「コンビニ選択」のメニュー項目２４―２、及び「次の曲にする」のメニュー項目２４−５を維持したい場合には、これらのメニュー項目２４−２、及び２４−５に対応する「ＨＯＬＤ」の項目３４−２、及び３４−５を操作する。これにより、「ＨＯＬＤ」の項目３４−２、及び３４−５は、他の「ＨＯＬＤ」の項目３４−１、３４−３、及び３４−４と区別できるように、色が変更される。なお、図４において、メニュー項目の操作は、当該メニュー項目２４−１乃至２４−５を構成するタッチパネルスイッチに接触することにより、行われる。【００５３】
次に、図５について説明する。【００５４】
図５の表示画面２２において、メニュー項目２４−１乃至２４−５の近傍に、当該メニュー項目で指定された目的地までの距離、あるいは指定された目標までの時間が表示されている。すなわち、ＳＡ・ＰＡ検索のメニュー項目２４−１の場合、目的地であるＳＡ・ＰＡまでの距離は、符号３６で示されるように、２０ｋｍであり、コンビニ検索のメニュー項目２４−２の場合、目的地であるコンビニまでの距離は、符号３８で示されるように、１５ｋｍである。更に、一般道にするのメニュー項目２４−３の場合、目的地である一般道までの距離は、符号４０で示さるように、１０ｋｍであり、次の曲にするのメニュー項目２４−５の場合、次の曲の開始までの時間は、符号４２で示されるように、３分である。【００５５】
ユーザは、表示画面２２に表示されたメニュー項目２４−１乃至２４−５の近傍の当該メニュー項目で指定された目的地までの距離、あるいは指定された目標までの時間（符合３６乃至４２を参照）に基づいて、どのメニュー項目を維持するかを判断することができる。図５の表示画面２２においては、符号３６で示されるように、ＳＡ・ＰＡまでの距離は２０ｋｍであり遠いので、ユーザは、メニュ−項目２４−１を維持しない。一方、符号３８で示されるように、コンビにまでの距離は１５ｋｍであり近いので、ユーザは、メニュ−項目２４−２を維持し、符号４０で示されるように、一般道までの距離は１０ｋｍであり近いので、ユーザは、メニュ−項目２４−３を維持し、更に、符号４２で示されるように、次の曲の開始までの時間は、３分であり短いので、ユーザは、メニュ−項目２４−５を維持する。【００５６】
これにより、維持されるべきメニュー項目２４−２、２４−３、及び２４−５は、他の維持されないメニュー項目２４−１、及び２４−４と区別できるように、色が変更される。【００５７】
次に、図６について説明する。【００５８】
図６の表示画面２２において、メニュー項目２４−１乃至２４−５のうちメニュー項目２４−１、及び２４−２の近傍に、当該メニュー項目のそれぞれで指定された目的地までの距離が２つ表示されている。すなわち、ＧＳ（ガソリン・スタンド）に行くのメニュー項目２４−１の場合、符号４６で示されるように、目的地の第１の候補である第１のＧＳまでの距離は、５ｋｍであり、目的地の第２の候補である第２のＧＳまでの距離は、３０ｋｍである。また、コンビニ検索のメニュー項目２４−２の場合、符号４６で示されるように、目的地の第１の候補である第１のコンビニまでの距離は、１ｋｍであり、目的地の第２の候補である第２のコンビニまでの距離は、３ｋｍである。【００５９】
ユーザは、表示画面２２に表示されたメニュー項目２４−１乃至２４−５の近傍の当該メニュー項目のそれぞれで指定された目的地までの２つの距離に基づいて、どのメニュー項目を維持するかを判断することができる（符合４４、及び４６を参照）。図６の表示画面２２において、例えば、コンビニ検索のメニュー項目２４−２について説明すると、符号４６で示されるように、第１の候補であるコンビニまでの距離は１ｋｍであり近いので、ユーザは、コンビニ検索のメニュー項目２４−２を維持しようとするが、第２の候補であるコンビニまでの距離も３ｋｍであり近い。そこで、ユーザは、コンビニ検索のメニュー項目２４−２を現時点で維持する必要はないものと判断し、当該メニュー項目２４−２の維持を行わないことを選択することができる。【００６０】
これにより、図６の表示画面２２において、メニュー項目２４−１乃至２４−５の全てが維持されておらず、従って、全てのメニュー項目２４−１乃至２４−５は、同じ色を有する。【００６１】
なお、図６表示画面２２においては、各メニュー項目で指定された目的地までの距離が２つ表示されているが、指定された目標までの時間を２つ表示することも可能である。【００６２】
また、ユーザにより指定された維持されるべきメニュー項目以外のメニュー項目について、予め優先度を付しておき、優先度の低い順から、周囲状況の変化に基づいて変更するように構成してもよい。
なお、以上説明した実施形態は、車両用ナビゲーション装置に本願を適用した場合の実施例であるが、本願は、他の装置、例えば携帯用電話機に適用することもできる。【００６３】
また、本願は、上記実施形態に限定されるものではない。上記実施形態は、例示であり、本発明の請求の範囲に記載された技術的思想と実質的に同一な構成を有し、同様な作用効果を奏するものは、いかなるものであっても本発明の技術的範囲に包含される。
【図１】
2009047842.tif 000003
【図２】
2009047842.tif 000004
【図３】
2009047842.tif 000005
【図４】
2009047842.tif 000006
【図５】
2009047842.tif 000007
【図６】
2009047842.tif 000008
【手続補正書】
【提出日】平成21年8月7日(2009.8.7)
【手続補正１】
【補正対象書類名】特許請求の範囲
【補正対象項目名】請求項１
【補正方法】変更
【補正の内容】
【請求項１】
選択項目を記憶する記憶手段と、
周囲状況に基づき、表示されるべき選択項目を前記記憶手段から検索し、前記周囲状況が変化した場合には、前記表示されるべき選択項目を変更する検索手段と、
前記検索された選択項目の画像を生成する生成手段と、
前記生成された選択項目の画像を表示画面に表示する表示手段と、
前記表示された選択項目のうち、維持されるべき選択項目を指定する指定手段と、
及び
前記指定された選択項目を保持する保持手段と、を備え、
前記生成手段は、前記周囲状況が変化して前記検索手段が表示されるべき選択項目を変更した場合に、前記保持手段からの指示に基づき、前記維持されるべき選択項目の画像を表示画面に残置させることを特徴とする選択項目表示装置。
【手続補正２】
【補正対象書類名】特許請求の範囲
【補正対象項目名】請求項８
【補正方法】変更
【補正の内容】
【請求項８】
選択項目を記憶手段に記憶する記憶工程と、
周囲状況に基づき、前記記憶工程で記憶された選択項目から、表示されるべき選択項目を検索し、前記周囲状況が変化した場合には、前記表示されるべき選択項目を変更する検索工程と、
前記検索された選択項目の画像を生成する生成工程と、
前記生成された選択項目の画像を表示画面に表示する表示工程と、
前記表示された選択項目のうち、維持されるべき選択項目を指定する指定工程と、
及び
前記指定された選択項目を保持する保持工程と、を備え、
前記生成工程では、前記周囲状況が変化して前記検索工程が表示されるべき選択項目を変更した場合に、前記保持工程からの指示に基づき、前記維持されるべき選択項目の画像を表示画面に残置させることを特徴とする選択項目表示方法。
【手続補正３】
【補正対象書類名】明細書
【補正対象項目名】０００２
【補正方法】変更
【補正の内容】
【０００２】
合わせて、ユーザにアクションを提案するアクション提案装置が記載されている。
発明の開示
発明が解決しようとする課題
［０００６］
上記従来の技術においては、前述したように、選択項目は、車両走行時の周囲状況に基づいて、画面に表示されるものが決定され、周囲状況が変化すると、画面に表示される選択項目が変更される。
［０００７］
このため、例えば、車両が走行している際に、コンビニを検索するための選択項目が画面に表示されている場合、周囲状況が変化すると、当該コンビニを検索するための選択項目が画面から削除され、他の選択項目が画面に表示されることがある。
［０００８］
このような場合、ユーザは、現在はコンビニを検索する必要はないが、後にコンビニを検索したいと現時点で思うことがある。ところが、周囲状況が変化すると、当該コンビニ検索するための選択項目が画面から削除されてしまうことがあり、ユーザにとって操作上不便であるという問題があった。
［０００９］
本願は、上記問題点に鑑みて為されたものであり、その課題の一例は、周囲状況が変化した場合であっても、ユーザが所望する選択項目を選択することができ、操作性が改良された選択項目表示装置、選択項目表示方法、選択項目表示プログラム、及び選択項目表示プログラムが記録された記録媒体を提供することにある。
課題を解決するための手段
［００１０］
上記の課題を解決するために、請求項１記載の発明は、
選択項目を記憶する記憶手段と、
周囲状況に基づき、表示されるべき選択項目を前記記憶手段から検索し、前記周囲状況が変化した場合には、前記表示されるべき選択項目を変更する検索手段と、
前記検索された選択項目の画像を生成する生成手段と、
前記生成された選択項目の画像を表示画面に表示する表示手段と、
前記表示された選択項目のうち、維持されるべき選択項目を指定する指定手段と、
及び
前記指定された選択項目を保持する保持手段と、を備え、
前記生成手段は、前記周囲状況が変化して前記検索手段が表示されるべき選択項
【手続補正４】
【補正対象書類名】明細書
【補正対象項目名】０００３
【補正方法】変更
【補正の内容】
【０００３】
目を変更した場合に、前記保持手段からの指示に基づき、前記維持されるべき選択項目の画像を表示画面に残置させることを特徴とする。
［００１１］
上記の課題を解決するために、請求項８記載の発明は、
選択項目を記憶手段に記憶する記憶工程と、
周囲状況に基づき、前記記憶工程で記憶された選択項目から、表示されるべき選択項目を検索し、前記周囲状況が変化した場合には、前記表示されるべき選択項目を変更する検索工程と、
前記検索された選択項目の画像を生成する生成工程と、
前記生成された選択項目の画像を表示画面に表示する表示工程と、
前記表示された選択項目のうち、維持されるべき選択項目を指定する指定工程と、
及び
前記指定された選択項目を保持する保持工程と、を備え、
前記生成工程では、前記周囲状況が変化して前記検索工程が表示されるべき選択項目を変更した場合に、前記保持工程からの指示に基づき、前記維持されるべき選択項目の画像を表示画面に残置させることを特徴とする。
［００１２］
上記の課題を解決するために、請求項９載の発明は、コンピュータを、請求項１乃至７のうちいずれか１項に記載の選択項目表示装置として機能させることを特徴とする。
［００１３］
上記の課題を解決するために、請求項１０載の発明は、請求項９に記載の選択項目表示プログラムが、前記コンピュータにより読取可能に記録されていることを特徴とする。
図面の簡単な説明
［００１４］
［図１］実施形態に係る選択項目表示装置のブロック回路図である。
［図２］実施形態に係る選択項目表示装置による表示画面の１例を示す図である。
［図３］実施形態に係る選択項目表示装置のフローチャート図である。
［図４］実施形態に係る選択項目表示装置による表示画面の他の例を示す図である。
［図５］実施形態に係る選択項目表示装置による表示画面の更に他の例を示す図である。
［図６］実施形態に係る選択項目表示装置による表示画面のなお更に他の例を示す
【国際調査報告】
2009047842.tif 000009
2009047842.tif 000010
2009047842.tif 000011
2009047842.tif 000012